(57)【要約】【課題】部分的に発色物質や発光物質を配合しても、発色物質や発光物質が配合されたことを認識され難い基板格納ケースを、提供ことを課題とする。【解決手段】遊技機を制御する制御部品が搭載された制御基板を格納する基板格納ケースであって、前記制御基板を配される本体部と、前記制御基板を配された前記本体部に蓋をする蓋部と、前記本体部と蓋部とに嵌合し、前記本体部と蓋部とが閉じた状態を維持すると共に前記本体部と蓋部とが開かれるときには破壊される封印部材とを備え、前記本体部又は蓋部が有色透明な有色透明部であり、かつ有色透明部の内の少なくとも一部が所定の波長の光を照射されると発色又は発光する識別領域であり、可視光下において識別領域と識別領域以外の領域とが同色であり、かつ識別できないことを特徴とする基板格納ケースである。【選択図】図４
2017158963.tif 000002
【特許請求の範囲】
【請求項１】
遊技機を制御する制御部品が搭載された制御基板を格納する基板格納ケースであって、
前記制御基板を配される本体部と、
前記制御基板を配された前記本体部に蓋をする蓋部と、
前記本体部と蓋部とに嵌合し、前記本体部と蓋部とが閉じた状態を維持すると共に前記本体部と蓋部とが開かれるときには破壊される封印部材とを備え、
前記本体部又は蓋部が有色透明な有色透明部であり、かつ有色透明部の内の少なくとも一部が所定の波長の光を照射されると発色又は発光する識別領域であり、
可視光下において識別領域と識別領域以外の領域とが同色であり、かつ識別できないことを特徴とする基板格納ケース。
【請求項２】
前記有色透明部は、識別領域に発色物質又は発光物質を有し、識別領域以外の領域に着色剤を有することを特徴とする請求項１記載の基板格納ケース。
【請求項３】
前記封印部材の少なくとも一部が所定の波長の光を照射されると発色又は発光することを特徴とする請求項１又は請求項２に記載の基板格納ケース。
【発明の詳細な説明】
【技術分野】
【０００１】
本発明は、遊技機を制御する制御部品が搭載された制御基板を格納する基板格納ケースに関する。
【背景技術】
【０００２】
周知のようにスロットマシンやパチンコ機などの遊技機の筐体内には、ＣＰＵ、ＲＯＭ、ＲＡＭなどの電子部品が実装され遊技機の動作を制御する制御基板が配置されている。例えば、スロットマシンの場合、制御基板として主にスロットマシンの基本動作やリール制御などハード面を制御するためのプログラムが収められたメイン制御基板及び演出やサウンドなどのソフト面を制御するなどメイン制御基板で処理しきれない部分を補うプログラムが納められたサブ制御基板が取り付けられている。
【０００３】
このような制御基板に対して、制御プログラムを格納するＲＯＭを不正なものに置き換えたり、搭載された電子部品に対して不正なアプローチをしたりすることで、遊技結果を本来と異ならせる不正行為が問題となっている。
【０００４】
このような不正行為を防止すべく、近年の遊技機においては、制御基板をケース内に封印した上で遊技機の筐体内に設置するようにされている。ケースは、樹脂製で、その中に格納される制御基板が視認できるように透明なものとされるとともに、封印部材により封印され、この封印部材を破壊しないと開封できないようにされ、封印部材が破壊されることで開封の痕跡が残るようされている。
【０００５】
しかしながら、ケースにおいてＲＯＭ等に面する部分の樹脂を取り除き、ＲＯＭ等に不正を行った後に取り除いた部分に新しい樹脂を取り付けて修復された場合には、不正されたことが分からない。このために、ケースの樹脂に発光物質を配合して所定の波長の光線を照射すると発光するようにし、ケースの一部や全体が取り換えられても、所定の波長の光線を照射することによって、不正行為を発見できるようにしたものが提案されている（例えば、特許文献１参照）。しかしながら、発光物質を配合するとコスト高になるという不具合がある。
【０００６】
このために、ケースの樹脂全体に発光物質を配合するのでなく、ケースの中でＲＯＭ等に面する部分の樹脂だけに発光物質を配合することが考えられるが、発光物質が配合された部分と、配合されていない部分とで色等が変わるので、ケースに不正行為検知策が施されていることを認識されるおそれがある。
【先行技術文献】
【特許文献】
【０００７】
【特許文献１】特開２０１５−２４４号公報
【発明の概要】
【発明が解決しようとする課題】
【０００８】
本発明は、上記したような従来技術の問題点を解決すべくなされたものであって、部分的に発色物質や発光物質を配合しても、発色物質や発光物質が配合されたことを認識され難い基板格納ケースを提供するものである。
【課題を解決するための手段】
【０００９】
請求項１に係る発明は、遊技機を制御する制御部品が搭載された制御基板を格納する基板格納ケースであって、前記制御基板を配される本体部と、前記制御基板を配された前記本体部に蓋をする蓋部と、前記本体部と蓋部とに嵌合し、前記本体部と蓋部とが閉じた状態を維持すると共に前記本体部と蓋部とが開かれるときには破壊される封印部材とを備え、前記本体部又は蓋部が有色透明な有色透明部であり、かつ有色透明部の内の少なくとも一部が所定の波長の光を照射されると発色又は発光する識別領域であり、可視光下において識別領域と識別領域以外の領域とが同色であり、かつ識別できないことを特徴とする基板格納ケースに関する。
【００１０】
請求項２に係る発明は、前記有色透明部は、識別領域に発色物質又は発光物質を有し、識別領域以外の領域に着色剤を有することを特徴とする請求項１記載の基板格納ケースに関する。
【００１１】
請求項３に係る発明は、前記封印部材の少なくとも一部が所定の波長の光を照射されると発色又は発光することを特徴とする請求項１又は請求項２に記載の基板格納ケースに関する。
【発明の効果】
【００１２】
請求項１に係る発明の基板格納ケースによれば、前記本体部又は蓋部が有色透明なので、一部に発色物質、発光物質を入れても認識され難い。
【００１３】
請求項２に係る発明の基板格納ケースによれば、識別領域に発色物質又は発光物質を有し、識別領域以外の領域に着色剤を有するので、可視光下において識別領域と識別領域以外の領域とが同色であり、かつ見分けられないようにすることができる。
【００１４】
請求項３に係る発明の基板格納ケースによれば、封印部材の少なくとも一部が所定の波長の光を照射されると発色又は発光するので、封印部材が破壊されて不正行為が行われたときに検知することができる。
【図面の簡単な説明】
【００１５】
【図１】本実施形態に係る基板格納ケースが用いられるスロットマシンの概略外観図である。
【図２】同スロットマシンの概略内部図である。
【図３】本実施形態に係る基板格納ケースの概略外観図である。
【図４】同基板格納ケースの概略分解図である。
【図５】同基板格納ケースの封印部材の概略外観図である。
【発明を実施するための形態】
【００１６】
以下、本発明に係る基板格納ケースの好適な実施形態について、図面を参照しながら説明する。
まず、基板格納ケースが用いられるスロットマシンの構成について説明する。なお、本実施形態ではスロットマシンを用いて説明するが、当然ながら本発明の基板格納ケースはパチンコ機に用いてもよい。
【００１７】
［スロットマシンの外観構成］
図１、２に示すように本実施形態に係るスロットマシン１は、前面が開放している箱形の筐体２と、この筐体２に対して開閉自在に取り付けられている前扉３とを備えている。
前扉３の中央部正面には、表示窓４が形成されている。
【００１８】
表示窓４は、主として、筐体２内の３つの回転リール５Ｌ、５Ｃ、５Ｒを観察するためのものであって、各リール５Ｌ、５Ｃ、５Ｒの外周面には、それぞれ、ボーナス役図柄、小役図柄及びリプレイ役図柄を含む、複数種類の役図柄が周方向に沿って描かれている。これらの図柄は、表示窓４を通して３つずつ観察される。表示窓４及び各リール５Ｌ、５Ｃ、５Ｒは、遊技者に対面している。
【００１９】
表示窓４の下には、操作部６が設けられている。この操作部６には、メダル投入口６１、ベットボタン６２、始動レバー６３、停止ボタン６４Ｌ、６４Ｃ、６４Ｒ及び精算ボタン６５が備えられている。
【００２０】
［スロットマシンの内部構成］
筐体２内には、リール５Ｌ、５Ｃ、５Ｒ、及び各リール５Ｌ、５Ｃ、５Ｒの駆動源であるステッピングモーター等が備えられている。
【００２１】
筐体２内でリール５Ｌ、５Ｃ、５Ｒの上方には、スロットマシン１の基本動作やリール制御などを司るプログラムが収められたＲＯＭ、ＣＰＵ、ＲＡＭなどが搭載されたメイン制御基板が収められた基板格納ケース７が取り付けられており、リール５Ｌ、５Ｃ、５Ｒを支持するブラケットの側面には、サブ制御基板が収められた基板格納ケース（図示せず）が取り付けられている。
【００２２】
［基板格納ケース］
以下に、本発明の実施形態に係る基板格納ケースについて図３〜５を用いて説明する。
基板格納ケース７は、制御基板８を配される本体部７１と、本体部７１に蓋をする蓋部７２と、本体部７１と蓋部７２とに嵌合し、本体部７１と蓋部７２とが閉じた状態を維持すると共に本体部７１と蓋部７２とが開かれるときには破壊される封印部材７３とを備えている。
本体部７１又は蓋部７２は有色透明な有色透明部であり、かつ有色透明部の内の少なくとも一部が所定の波長の光を照射されると発色又は発光する識別領域７４である。図３、４の例では、蓋部７２を有色透明部７０とし、蓋部７２のうちで、制御基板８に実装された電子部品８１を覆う部分を識別領域７４としているが、他の領域に識別領域７４を設けてもよい。本体部７１と蓋部７２とは、蓋部７２のヒンジ部７５によって開閉自在に接続されている。なお、本体部７１と蓋部７２との両方が有色透明部であってもよい。
【００２３】
本体部７１及び蓋部７２は合成樹脂製であり、合成樹脂の種類としては特に制限はないが、例えばポリカーボネート樹脂、アクリル樹脂、ＡＢＳ樹脂が用いられる。
本体部７１は、蓋部７２のヒンジ部７５が挿入されて蓋部７２を開閉自在に係合する開口７１ａと、制御基板８を位置決めする固定枠７１ｂとを有している。
本体部７１は、また、封印部材７３が挿入される２個の挿入口７１ｃと、雄ねじ（図示せず）が螺入される雌ねじ７１ｄを有している。
【００２４】
蓋部７２は、中央部分が制御基板８を収納する突形状に成っており、その突形状には制御基板８が接続される配線を通す開口７２ａが設けられている。
また、蓋部７２は、上述したように本体部７１の開口７１ａと係合するヒンジ部７５と、封印部材７３が挿入される２個の挿入口７２ｂとを有している。
制御基板８には、ＣＰＵ、ＲＯＭ、ＲＡＭなどの電子部品８１やコネクター８２等が実装されている。
【００２５】
封印部材７３は、図５に示すような矢じり形状で、傘部７３ａが弾性で内側に閉じるようになっている。このために、封印部材７３は、適当な大きさの孔に挿入されると、閉じた傘部７３ａが開いて孔から抜けない。
【００２６】
次に、制御基板８を基板格納ケース７に格納する方法を説明する。
本体部７１の固定枠７１ｂに制御基板８をセットする。
続いて、本体部７１の開口７１ａに蓋部７２のヒンジ部７５の先端を係合させ、蓋部７２を閉じる。制御基板８のコネクター８２は蓋部７２の開口７２ａから露出している。  また、蓋部７２が閉じられると、蓋部７２の開口７２ｂと本体部７１の開口７１ｃとが隣接して同一軸上に並ぶ。
続いて、ねじ（図示せず）を蓋部７２のねじ孔７２ｃを通して本体部７１の雌ねじ７１ｄに螺入する。
続いて、封印部材７３を、同一軸上に並んだ蓋部７２の開口７２ｂと本体部７１の開口７１ｃとに挿入する。挿入された封印部材７３は、挿入時に閉じた傘部７３ａが開くので、開口７２ｂ及び開口７１ｃから抜けなくなる。このことにより、蓋部７２を本体部７１から開くには、封印部材７３を破壊しなければならない。このように、制御基板８に不正行為を行うために蓋部７２が開かれた場合には、破壊した封印部材７３により検知される。
【００２７】
封印部材７３は２本挿入できるようになっているので、制御基板８を格納して最初に閉じた後に封印部材７３を１本だけを挿入する。検査等の何らかの理由で蓋部７２を開ける場合には、挿入した封印部材７３を破壊して蓋部７２を開け、検査等が済んだあとで、２本目の封印部材７３で再度封印することができる。
【００２８】
蓋部７２は、識別領域７４に発色物質又は発光物質を有し、識別領域以外の領域に着色剤を有する。可視光下において識別領域７４と識別領域７４以外の領域とが、同色であり、かつ見分けられない
発色物質、発光物質としては特に制限はないが、Ｅｕ（ＩＩＩ）錯体、Ｔｍ（ＩＩＩ）錯体、Ｔｂ（ＩＩＩ）錯体等の発光性の希土類錯体や、ペリレン系化合物、クマリン系化合物等の公知の物質を用いることができる。また、識別領域以外の領域の着色剤にも特に制限はない。
可視光下において識別領域７４と識別領域７４以外の領域とが同色であり、かつ見分けられなければ、発色物質、発光物質及び識別領域７４以外の領域の着色剤とも何でもよい。
具体的な例としては、例えば識別領域７４の発光物質として、オーケー化成株式会社製の特殊蛍光体（ブラックライト反応顔料）（品番：ＰＣＫ−Ａ１５３４２７）を用い、識別領域以外の領域の着色剤として、オーケー化成株式会社製の透明ブルー（品番：ＰＣＫ−Ａ１５５１３５）を用いることが出来る。
【００２９】
蓋部７２の全体を識別領域にすると、コストがかかるので、蓋部７２の一部だけを識別領域７４にしている。図３、４の例では、制御基板８の内のＣＰＵ、ＲＯＭ、ＲＡＭ等の電子部品８１を覆う部分のみを識別領域７４にしており、斜線で表している。
そして、蓋部７２全体を有色透明にしている。蓋部７２全体が無色透明であると、発色物質や発光物質が入っている識別領域７４と、識別領域７４以外の領域とで、色等に差がでるので、外観が不自然になる。すると、制御基板８に不正行為を行おうとする者に、識別領域７４による不正行為検知策を知られるおそれがある。
そこで、本実施形態のように、蓋部７２全体を有色透明にすることにより、識別領域７４と、識別領域７４以外の領域とでの色等の差が小さくなるので、外観が不自然にならない。このことにより、不正行為を行おうとする者が、発色物質や発光物質が入っていることに気づかずに電子部品８１を覆う蓋部７２の部分の取り換えを行っても容易に検知することができる。
この図３、４の例では、制御基板８に実装された電子部品８１が蓋部７２に面しているので蓋部７２に識別領域７４を設けたが、電子部品８１が本体部７１に面している場合には、本体部７１に識別領域７４を設ければよい。
このような識別領域７４と識別領域７４以外の他の領域とは、二色成形等により成形することができる。
【００３０】
また、ヒンジ部７５の部分を識別領域７４としてもよい。不正行為時にこの部分を取り代えられた場合にも、容易に検知することができる。
【００３１】
また、封印部材７３の少なくとも一部が所定の波長の光を照射されると発色又は発光するようにしてもよい。封印部材７３が破壊されて不正行為が行われ、新たな封印部材に取り換えられても容易に検知することが出来る。この封印部材７３は、透明でなくてもよいし、透明にしてもよい。透明にした場合で、部分的に発色物質や発光物質を入れるときには、上述した蓋部７２と同様に有色透明とすればよい。
【産業上の利用可能性】
【００３２】
本発明は、スロットマシン、パチンコ機に好適に使用される。
【符号の説明】
【００３３】
７        基板格納ケース
７０      有色透明部
７１      本体部
７２      蓋部
７３      封印部材
７４      識別領域
８        制御基板
【図１】
2017158963.tif 000003
【図２】
2017158963.tif 000004
【図３】
2017158963.tif 000005
【図４】
2017158963.tif 000006
【図５】
2017158963.tif 000007
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
遊技機を制御する制御部品が搭載された制御基板を格納する基板格納ケースであって、
前記制御基板を配される本体部と、
前記制御基板を配された前記本体部に蓋をする蓋部と、
前記本体部と前記蓋部とを開閉自在に接続するヒンジ部と、
前記本体部と蓋部とに嵌合し、前記本体部と蓋部とが閉じた状態を維持すると共に前記本体部と蓋部とが開かれるときには破壊される封印部材とを備え、
前記本体部又は蓋部が有色透明な有色透明部であり、かつ有色透明部の内の少なくとも一部が所定の波長の光を照射されると発色又は発光する識別領域であり、
前記ヒンジ部の少なくとも一部が所定の波長の光を照射されると発色又は発光する識別領域であり、
可視光下において識別領域と識別領域以外の領域とが同色であり、かつ識別できず、
前記有色透明部は、識別領域に発色物質又は発光物質を有し、識別領域以外の領域に着色剤を有し、
前記封印部材の少なくとも一部が所定の波長の光を照射されると発色又は発光することを特徴とする基板格納ケース。
【手続補正２】
【補正対象書類名】明細書
【補正対象項目名】０００９
【補正方法】変更
【補正の内容】
【０００９】
請求項１に係る発明は、遊技機を制御する制御部品が搭載された制御基板を格納する基板格納ケースであって、前記制御基板を配される本体部と、前記制御基板を配された前記本体部に蓋をする蓋部と、前記本体部と前記蓋部とを開閉自在に接続するヒンジ部と、前記本体部と蓋部とに嵌合し、前記本体部と蓋部とが閉じた状態を維持すると共に前記本体部と蓋部とが開かれるときには破壊される封印部材とを備え、前記本体部又は蓋部が有色透明な有色透明部であり、かつ有色透明部の内の少なくとも一部が所定の波長の光を照射されると発色又は発光する識別領域であり、前記ヒンジ部の少なくとも一部が所定の波長の光を照射されると発色又は発光する識別領域であり、可視光下において識別領域と識別領域以外の領域とが同色であり、かつ識別できず、前記有色透明部は、識別領域に発色物質又は発光物質を有し、識別領域以外の領域に着色剤を有し、前記封印部材の少なくとも一部が所定の波長の光を照射されると発色又は発光することを特徴とする基板格納ケースに関する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項１に係る発明の基板格納ケースによれば、前記本体部又は蓋部が有色透明なので、一部に発色物質、発光物質を入れても認識され難い。
また、識別領域に発色物質又は発光物質を有し、識別領域以外の領域に着色剤を有するので、可視光下において識別領域と識別領域以外の領域とが同色であり、かつ見分けられないようにすることができる。
さらに、封印部材の少なくとも一部が所定の波長の光を照射されると発色又は発光するので、封印部材が破壊されて不正行為が行われたときに検知することができる。
加えて、ヒンジ部の少なくとも一部が所定の波長の光を照射されると発色又は発光する識別領域であるため、不正行為時にヒンジ部を取り代えられた場合にも、容易に検知することができる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】